(57)【特許請求の範囲】
【請求項１】
エレベーター昇降路内の取付ブラケットに、六角ボルトを用いて所定のスライディングクリップを取り付ける際に使用されるエレベーター用ガイドレールクリップの締付治具であって、
前記取付ブラケットの上端部に掛止される掛止部と、
前記掛止部が前記取付ブラケットの上端部に掛止された状態で、前記六角ボルトの頭部にその両側から対向するように配置され、前記六角ボルトの回転を規制する回転規制部と、
前記掛止部が前記取付ブラケットの上端部に掛止された状態で前記スライディングクリップの端面に対向するように配置される位置調整部と、
を備え、
前記位置調整部が前記スライディングクリップの前記端面に接触することにより、前記回転規制部が前記スライディングクリップに対して所定の位置に配置されることを特徴とするエレベーター用ガイドレールクリップの締付治具。
【請求項２】
前記回転規制部は、所定の間隔で互いに対向する２枚の平行板を有するとともに、前記掛止部が前記取付ブラケットの上端部に掛止された状態で、前記平行板が上下方向に配置され、前記六角ボルトの頭部が前記平行板間に配置されることを特徴とする請求項１に記載のエレベーター用ガイドレールクリップの締付治具。
【請求項３】
前記スライディングクリップの前記端面は、前記ガイドレールのフランジ部の端面と同じ方向を向く面であることを特徴とする請求項１又は請求項２に記載のエレベーター用ガイドレールクリップの締付治具。
【請求項４】
前記掛止部は、前記回転規制部を間に挟んでその両側に配置され、
前記位置調整部は、前記スライディングクリップの向きが一側の時は前記掛止部の一方が、前記スライディングクリップの向きが他側の時は前記掛止部の他方が前記取付ブラケットの上端部に掛止されることにより、前記スライディングクリップの向きに関わらず前記スライディングクリップの同じ端面に対向するように配置される
ことを特徴とする請求項１から請求項３の何れか一項に記載のエレベーター用ガイドレールクリップの締付治具。
【請求項５】
エレベーター昇降路内の取付ブラケットに、六角ボルトを用いて所定のスライディングクリップを取り付ける際に使用されるエレベーター用ガイドレールクリップの締付治具であって、
前記取付ブラケットの上端部に掛止される掛止部と、
前記掛止部が前記取付ブラケットの上端部に掛止された状態で、前記六角ボルトの頭部にその両側から対向するように配置され、前記六角ボルトの回転を規制する回転規制部と、
前記掛止部が前記取付ブラケットの上端部に掛止された状態で、前記スライディングクリップの端面に対向するように配置され、前記回転規制部を前記スライディングクリップに対して所定の位置に配置させる位置調整部と、
を備え、
前記掛止部は、前記回転規制部を間に挟んでその両側に配置され、
前記位置調整部は、前記スライディングクリップの向きが一側の時は前記掛止部の一方が、前記スライディングクリップの向きが他側の時は前記掛止部の他方が前記取付ブラケットの上端部に掛止されることにより、前記スライディングクリップの向きに関わらず前記スライディングクリップの同じ端面に対向するように配置される
ことを特徴とするエレベーター用ガイドレールクリップの締付治具。
【請求項６】
前記回転規制部は、所定の間隔で互いに対向する２枚の平行板を有するとともに、前記掛止部が前記取付ブラケットの上端部に掛止された状態で、前記平行板が上下方向に配置され、前記六角ボルトの頭部が前記平行板間に配置されることを特徴とする請求項５に記載のエレベーター用ガイドレールクリップの締付治具。
【発明の詳細な説明】
【技術分野】
【０００１】
この発明は、エレベーター用ガイドレールの据付時に作業者が使用する締付治具に関するものである。
【背景技術】
【０００２】
図１はエレベーター用ガイドレールの固定部分を示す正面図、図２はその平面図である。図１及び図２において、１はエレベーター昇降路内に立設されたガイドレールである。ガイドレール１は、そのガイド部１ａによってエレベーターのかご（図示せず）の走行を案内するためのものである。ガイドレール１は、昇降路内の固定体に固定された取付ブラケット２に、専用のガイドレールクリップを用いて取り付けられている。なお、３はガイドレールクリップの一種であるＢ１形のスライディングクリップ、４はガイドレール１の位置を調整するためのハサミ金、５は六角ボルト、６はナットである。
【０００３】
スライディングクリップ３は、地震等によって建物が変形した際に、ガイドレール１や取付ブラケット２に変形が発生してしまうことを防止するための所定の構成を有している。即ち、建物の変形によってガイドレール１に過大な鉛直方向の力が作用すると、ガイドレール１と取付ブラケット２（ハサミ金４）及びスライディングクリップ３との各間に滑りが発生し、ガイドレール１等の変形を防止する。このため、ガイドレール１の据付精度に対する地震等の影響を最小限に抑えることができる。
【０００４】
具体的に、上記スライディングクリップ３は、鋼製の板状部材が略Ｚ字状に折り曲げられることによって成形されており、その一側がガイドレール１のフランジ部１ｂに面接触するように取り付けられている。即ち、スライディングクリップ３は、バネの力を利用してフランジ部１ｂを取付ブラケット２側に押し付け、ガイドレール１を一定の保持力で支持する。また、スライディングクリップ３は、その湾曲部分（図中のＡ部）をフランジ部１ｂの端面に接触させ、ガイドレール１の左右方向（図中のＢ方向）の移動を防止する。
【０００５】
上記構成のスライディングクリップ３を用いてガイドレール１を固定する場合、作業者は、例えば、スライディングクリップ３及び取付ブラケット２に形成された各貫通孔に六角ボルト５を通し、取付ブラケット２の背面２ａ側から、六角ボルト５のネジ部にナット６を回し入れる。そして、作業者は、片手（に持ったスパナ等）でナット６を押さえながら、もう片方の手でスパナ（図示せず）を用いて六角ボルト５を締め付け、上記保持力をガイドレール１に作用させる。
【０００６】
なお、ガイドレール１の固定作業は、エレベーターの据付時や改修時等に行われるものであり、作業者は、例えば、エレベーターのかご枠（図示せず）に設置された作業床上から、上記固定のために必要な作業を実施する。
【０００７】
また、エレベーター用ガイドレールの取り付けに関する従来技術として、例えば、ボルトの締付時にガイドレールクリップが一緒に回転してしまうことを防止するものが提案されている（特許文献１参照）。
【先行技術文献】
【特許文献】
【０００８】
【特許文献１】特開２０１０−６４８０３号公報
【発明の概要】
【発明が解決しようとする課題】
【０００９】
上記構成のスライディングクリップ３を用いてガイドレール１の固定作業を行う場合、作業者は、六角ボルト５の締め付けを片手で行うことができなかった。このため、六角ボルト５の締め付けを行うためには、作業者が一人であれば両手が必要になり、また、片手で作業床周囲の安全柵を掴むのであれば複数人の作業者が必要になってしまう。特に、作業者は、上記締付作業を足場が不安定な作業床上で行わなければならず、その作業に多大な時間と労力とを要することとなっていた。
【００１０】
なお、特許文献１は、ボルトの締付時にガイドレールクリップが一緒に回転してしまうことを防止するための技術を開示したものであり、その内容からは、上記問題を解決することはできなかった。
【００１１】
この発明は、上述のような課題を解決するためになされたもので、その目的は、スライディングクリップを用いてガイドレールを取付ブラケットに固定する際に、作業者が一人であっても、ボルトの締付作業を片手で且つ簡単に行うことができるようにするためのエレベーター用ガイドレールクリップの締付治具を提供することである。
【課題を解決するための手段】
【００１２】
この発明に係るエレベーター用ガイドレールクリップの締付治具は、エレベーター昇降路内の取付ブラケットに、六角ボルトを用いて所定のスライディングクリップを取り付ける際に使用されるエレベーター用ガイドレールクリップの締付治具であって、取付ブラケットの上端部に掛止される掛止部と、掛止部が取付ブラケットの上端部に掛止された状態で、六角ボルトの頭部にその両側から対向するように配置され、六角ボルトの回転を規制する回転規制部と、掛止部が取付ブラケットの上端部に掛止された状態でスライディングクリップの端面に対向するように配置される位置調整部と、を備え、位置調整部がスライディングクリップの端面に接触することにより、回転規制部がスライディングクリップに対して所定の位置に配置されるものである。
【００１３】
また、この発明に係るエレベーター用ガイドレールクリップの締付治具は、エレベーター昇降路内の取付ブラケットに、六角ボルトを用いて所定のスライディングクリップを取り付ける際に使用されるエレベーター用ガイドレールクリップの締付治具であって、取付ブラケットの上端部に掛止される掛止部と、掛止部が取付ブラケットの上端部に掛止された状態で、六角ボルトの頭部にその両側から対向するように配置され、六角ボルトの回転を規制する回転規制部と、掛止部が取付ブラケットの上端部に掛止された状態で、スライディングクリップの端面に対向するように配置され、回転規制部をスライディングクリップに対して所定の位置に配置させる位置調整部と、を備え、掛止部は、回転規制部を間に挟んでその両側に配置され、位置調整部は、スライディングクリップの向きが一側の時は掛止部の一方が、スライディングクリップの向きが他側の時は掛止部の他方が取付ブラケットの上端部に掛止されることにより、スライディングクリップの向きに関わらずスライディングクリップの同じ端面に対向するように配置されるものである。
【発明の効果】
【００１４】
この発明に係るエレベーター用ガイドレールクリップの締付治具を使用することにより、スライディングクリップを用いてガイドレールを取付ブラケットに固定する際に、作業者が一人であっても、ボルトの締付作業を片手で且つ簡単に行うことができるようになる。
【図面の簡単な説明】
【００１５】
【図１】エレベーター用ガイドレールの固定部分を示す正面図である。
【図２】エレベーター用ガイドレールの固定部分を示す平面図である。
【図３】この発明の実施の形態１におけるエレベーター用ガイドレールクリップの締付治具を示す斜視図である。
【図４】この発明の実施の形態１におけるエレベーター用ガイドレールクリップの締付治具を示す正面図である。
【図５】この発明の実施の形態１におけるエレベーター用ガイドレールクリップの締付治具を示す側面図である。
【図６】図３に示す締付治具の使用方法を説明するための正面図である。
【図７】図６のＣ−Ｃ矢視図である。
【図８】図３に示す締付治具の使用方法を説明するための側面図である。
【図９】この発明の実施の形態２におけるエレベーター用ガイドレールクリップの締付治具の使用方法を説明するための正面図である。
【図１０】図９のＥ−Ｅ矢視図である。
【図１１】この発明の実施の形態２におけるエレベーター用ガイドレールクリップの締付治具の使用方法を説明するための側面図である。
【図１２】回転規制部の機能を説明するための図である。
【発明を実施するための形態】
【００１６】
この発明をより詳細に説明するため、添付の図面に従ってこれを説明する。なお、各図中、同一又は相当する部分には同一の符号を付しており、その重複説明は適宜に簡略化ないし省略する。
【００１７】
実施の形態１．
図３はこの発明の実施の形態１におけるエレベーター用ガイドレールクリップの締付治具を示す斜視図、図４はその正面図、図５はその側面図である。本締付治具は、エレベーターの据付時や改修時等、昇降路内の取付ブラケット２に六角ボルト５を用いてスライディングクリップ３を取り付ける際に、作業者が使用するためのものである。なお、ガイドレール１の固定が完了した時の状態は図１及び図２と同じであるため、その詳細な説明は省略する。
【００１８】
図３乃至図５に示すように、本締付治具は、背面板７、回転規制板８及び９、位置調整板１０、支持板１１及び１２、掛止板１３及び１４により、その要部が構成されている。
【００１９】
背面板７は、所定の長さを有する長方形状の板状部材からなり、その一側面７ａに、回転規制板８及び位置調整板１０が溶接固定されている。回転規制板８及び位置調整板１０は、背面板７の各側部に沿うように立設され、互いに平行となるように配置されている。即ち、背面板７、回転規制板８、位置調整板１０により、所定の長さを有する断面コ字状の部材が構成される。
【００２０】
回転規制板９は、回転規制板８とともに、要時に六角ボルト５の回転を規制するための回転規制部を構成する。回転規制板９は、例えば、回転規制板８と同じ幅を有する短尺の板状部材からなり、位置調整板１０の回転規制板８に対向する一側面（内側面）１０ａに溶接固定されている。なお、回転規制板９は、位置調整板１０の一側面１０ａと背面板７の一側面７ａとに密着するように設けられている。このため、回転規制板９は、回転規制板８に対して平行となり、且つ、背面板７の一側面７ａからの高さ（突出量）が回転規制板８と一致する。また、回転規制板８及び９は、各内側面（以下、それぞれ「対向面８ａ」、「対向面９ａ」という）が、六角ボルト５の頭部の幅（図１のＷ）よりも僅かに大きな所定の間隔で互いに対向するように配置されている。
【００２１】
位置調整板１０は、上記回転規制部をスライディングクリップ３に対して所定の位置に配置させるための位置調整部を構成する。位置調整板１０は、例えば、回転規制板８及び９よりも大きな幅を有する板状部材からなり、一方の回転規制板９側にのみ設けられている。なお、回転規制板９が背面板７の一側面７ａに密着するように設けられているため、位置調整板１０は、回転規制板９の長手に渡り、距離Ｈだけ回転規制板９の端面から突出する（図５参照）。
【００２２】
支持板１１及び掛止板１３は、本締付治具（即ち、回転規制部及び位置調整部が設けられた背面板７（本体部））を、取付ブラケット２の上端部に掛止させる掛止部としての機能を備えている。具体的に、支持板１１及び掛止板１３は、断面Ｔ字状に配置された状態で、背面板７、回転規制板８、位置調整板１０の各一端部に溶接固定されている。また、支持板１２及び掛止板１４も、支持板１１及び掛止板１３と同じ構成・機能を有するものであり、断面Ｔ字状に配置された状態で、背面板７、回転規制板８、位置調整板１０の各他端部に溶接固定されている。即ち、本締付治具は、掛止部が回転規制部を間に挟んでその両側に配置されており、本体部の一端部と他端部との双方に鉤状の部材が設けられている。
【００２３】
次に、図６乃至図８も参照し、上記構成を有する締付治具の使用方法について説明する。図６は図３に示す締付治具の使用方法を説明するための正面図、図８はその側面図、図７は図６のＣ−Ｃ矢視図である。
【００２４】
作業者は、スライディングクリップ３を用いてガイドレール１を固定する場合、六角ボルト５（ナット６）の最終的な締め付けを行う前に、図６乃至図８に示すように、本締付治具の取り付けを行う。具体的に、作業者は、六角ボルト５をスライディングクリップ３及び取付ブラケット２に形成された各貫通孔に通した後、一方の（例えば、支持板１１及び掛止板１３からなる）掛止部を取付ブラケット２の上端部に引っ掛けて、締付治具を取付ブラケット２に掛止させる。
【００２５】
この時、作業者は、位置調整板１０がガイドレール１から離れた側に配置されるように締付治具を持ち、先ず、回転規制板８及び９間に六角ボルト５の頭部を配置させる。そして、その状態を保ちながら締付治具を下方に移動させ、掛止部を取付ブラケット２の上端部に引っ掛ける。なお、掛止部を上にして締付治具を持つと、回転規制板８及び９は上下方向に配置される。このため、六角ボルト５の頭部の平行な部分の向きを予め上下方向に合わせておけば、上記作業を容易に行うことができる。
【００２６】
また、作業者は、掛止部を取付ブラケット２の上端部に掛止する際に、位置調整板１０の一側面１０ａのうち、回転規制板９から突出する部分（図５のＤ部）が、スライディングクリップ３の端面３ａに対向するように、締付治具を配置する。そして、作業者は、掛止部を取付ブラケット２の上端部に掛止させると、その状態で、締付治具をガイドレール１側に押し、スライディングクリップ３のガイドレール１に対する位置、及び、本締付治具のスライディングクリップ３に対する位置を調整する。
【００２７】
即ち、作業者は、締付治具をガイドレール１側に押すことにより、上記Ｄ部をスライディングクリップ３の端面３ａに接触させ、回転規制板８及び９（に拘束された六角ボルト５）を適正位置に配置する。また、スライディングクリップ３の上記端面３ａは、ガイドレール１のフランジ部１ｂの端面と同じ方向を向いている。このため、作業者は、上記Ｄ部が端面３ａに接触した状態で締付治具をガイドレール１側に押すことにより、スライディングクリップ３を付勢して、その湾曲部分（図２のＡ部）をガイドレール１のフランジ部１ｂの端面に接触させることができる。
【００２８】
締付治具を図６乃至図８に示す状態に取り付けると、作業者は、取付ブラケット２の背面２ａ側から、六角ボルト５のネジ部にナット６を回し入れ、スパナやラチェットレンチ等を使用して、ナット６の締め付けを行う。なお、回転規制板８及び９が六角ボルト５の頭部に対してその両側から対向するように配置されているため、ナット６の締め付けによって六角ボルト５に回転力が作用しても、六角ボルト５の回転は回転規制板８及び９に阻害され、六角ボルト５がナット６とともに回転してしまうことはない。
【００２９】
また、エレベーターのガイドレール１は断面Ｔ字状を呈しており、ガイド部１ａの両側にフランジ部１ｂが設けられている。このため、ガイドレール１を取付ブラケット２に取り付ける場合、一般に、１つの取付ブラケット２に対して２つのスライディングクリップ３が使用され、スライディングクリップ３はガイドレール１の両側に取り付けられる。
【００３０】
このため、作業者は、一側のスライディングクリップ３の取り付けが終了すると、次に、反対側のスライディングクリップ３の取り付けを行う。なお、スライディングクリップ３は、ガイドレール１の両側で同じものが使用されるが、フランジ部１ｂと六角ボルト５の固定位置とに合わせて、その取付向きは反対になる。このため、上記手順によって一側のスライディングクリップ３を取り付けた場合は、締付治具の向きを上下反対にして、他側のスライディングクリップ３の取り付けを行う。即ち、作業者は、他方の（例えば、支持板１２及び掛止板１４からなる）掛止部を取付ブラケット２の上端部に引っ掛けて、締付治具を取付ブラケット２に掛止させ、上記と同様の手順によりナット６の締付作業を行う。
【００３１】
なお、締付治具の向きを上下反対にすることにより、位置調整板１０の位置も反対になる。このため、作業者は、反対側のスライディングクリップ３の取り付けを行う際も、上記Ｄ部をスライディングクリップ３の同じ端面３ａに対向させることができる。
【００３２】
上記構成を有する締付治具を使用することにより、スライディングクリップ３を用いてガイドレール１を取付ブラケット２に固定する際に、作業者が一人であっても、六角ボルト５の締付作業を片手で且つ簡単に行うことができるようになる。特に、昇降行程の長いエレベーターの据付時には、スライディングクリップ３の個数も多くなる（例えば、取付ブラケット２が昇降路内に７５段必要な場合は、かご側及び釣合い重り側を含め、１台のエレベーターにおいて、７５×８＝６００回の締付作業が必要になる）ため、有効な手段となり得る。
【００３３】
実施の形態２．
図９はこの発明の実施の形態２におけるエレベーター用ガイドレールクリップの締付治具の使用方法を説明するための正面図、図１１はその側面図、図１０は図９のＥ−Ｅ矢視図である。
【００３４】
本実施の形態における締付治具には、上記掛止部の代わりに、本体部を取付ブラケット２に着脱自在に固定するための固定部が備えられている。具体的に、本締付治具は、背面板１５、回転規制板１６及び１７、支持板１８、掛止板１９、固定ハンドル２０により、その要部が構成されている。固定ハンドル２０は、上記固定部としての機能を備えるものである。即ち、固定ハンドル２０と回転規制板１７とによって取付ブラケット２を挟持することにより、本締付治具を取付ブラケット２に固定することができる。
【００３５】
また、回転規制板１６及び１７は、要時に六角ボルト５の回転を規制するための回転規制部を構成する。即ち、回転規制板１６及び１７には、六角ボルト５の頭部の幅よりも僅かに大きな所定の間隔で対向する対向面１６ａ及び１７ａが形成されており、固定部が取付ブラケット２に固定された際に、六角ボルト５の頭部を上記対向面１６ａ及び１７ａ間に配置して、六角ボルト５の回転を規制する。なお、図１０にも示されているように、一方の回転規制板１７は、位置調整部としての機能も備えている。
【００３６】
図１２は回転規制部の機能を説明するための図であり、本締付治具を複数種類の六角ボルト５に対応させるための構成を示している。具体的に、図１２（ａ）は、一方の回転規制板１７の固定位置を変更可能にすることにより、対向面１６ａ及び１７ａの間隔を、六角ボルト５の頭部の幅に合わせて調整自在に構成したものを示している。また、図１２（ｂ）は、所定のアダプタ２１を使用するものを示している。即ち、図１２（ｂ）に示すものは、回転規制板１６及び１７の固定位置を、頭部の幅が大きい所定の六角ボルトに合わせて予め定めておき、頭部の幅が小さい六角ボルトに対しては、アダプタ２１を回転規制板１６及び１７間に装着して対応させる。
【００３７】
上記構成の締付治具を利用しても、作業者は、六角ボルト５の締付作業を片手で且つ簡単に行うことができる。
【符号の説明】
【００３８】
１  ガイドレール
１ａ  ガイド部
１ｂ  フランジ部
２  取付ブラケット
２ａ  背面
３  スライディングクリップ
３ａ  端面
４  ハサミ金
５  六角ボルト
６  ナット
７、１５  背面板
７ａ、１０ａ  一側面
８、９、１６、１７  回転規制板
８ａ、９ａ、１６ａ、１７ａ  対向面
１０  位置調整板
１１、１２、１８  支持板
１３、１４、１９  掛止板
２０  固定ハンドル
２１  アダプタ
【図１】
0005477205.tif 000002
【図２】
0005477205.tif 000003
【図３】
0005477205.tif 000004
【図４】
0005477205.tif 000005
【図５】
0005477205.tif 000006
【図６】
0005477205.tif 000007
【図７】
0005477205.tif 000008
【図８】
0005477205.tif 000009
【図９】
0005477205.tif 000010
【図１０】
0005477205.tif 000011
【図１１】
0005477205.tif 000012
【図１２】
0005477205.tif 000013